(57)【特許請求の範囲】
【請求項１】
電気的特性が異なる複数種類の光源装置を点灯する点灯装置であって、
前記光源装置は、固体発光素子を光源とする光源部と、前記光源部の電気的特性に対応した所定のインピーダンス値を有する第１インピーダンス素子と、前記光源部の状態に対応してインピーダンス値が変化する第２インピーダンス素子と前記第１インピーダンス素子の直列回路と、前記光源部と電気的に接続される一対の給電端子とを有し、少なくとも何れか一方の前記給電端子と前記第１インピーダンス素子とが電気的に接続されるように構成され、
一対の前記給電端子と各別且つ電気的に接続される一対の出力端子と、外部からの入力電力を直流電力に変換し且つ前記出力端子から出力する電力変換部と、少なくとも何れか一方の前記出力端子を介して前記第１インピーダンス素子に定電圧又は定電流を印加する電源部と、前記電力変換部の出力電圧・出力電流を目標値に一致させるように前記電力変換部を制御する制御部とを備え、
前記制御部は、動作開始から点灯直前までの期間に前記光源部を点灯させない状態において、前記電源部から定電圧又は定電流を前記第１インピーダンス素子に印加させて前記第１インピーダンス素子のインピーダンス値を計測し、前記インピーダンス値の計測結果、あるいは前記第１インピーダンス素子の電圧検出値または電流検出値に対応した前記目標値を設定して前記光源部を点灯させるように構成され、
前記制御部は、前記光源部を点灯させている状態において、前記第２インピーダンス素子の前記インピーダンス値を計測し、前記インピーダンス値の計測結果に対応して前記目標値を変更するように構成され、
前記制御部は、前記光源部を点灯させない状態において、前記電源部から定電圧又は定電流を前記直列回路に印加させて前記第１インピーダンス素子のインピーダンス値を計測し、前記光源部を点灯させている状態において、前記電源部から定電圧又は定電流を前記第２インピーダンス素子のみに印加させ、かつ前記第１インピーダンス素子と電気的に接続された前記給電端子の接触抵抗によって生じる電圧降下を打ち消すように切り換えて前記第２インピーダンス素子のインピーダンス値を計測するように構成されることを特徴とする点灯装置。
【請求項２】
前記制御部は、前記電源部に対して前記第１インピーダンス素子と並列且つ電気的に接続されるスイッチ要素を有し、前記光源部を点灯させない状態において、前記スイッチ要素をオフして前記電源部から定電圧又は定電流を前記第１インピーダンス素子に印加させて前記第１インピーダンス素子のインピーダンス値を計測し、前記光源部を点灯させている状態において、前記スイッチ要素をオンして前記電源部から定電圧又は定電流を前記第２インピーダンス素子に印加させて前記第２インピーダンス素子のインピーダンス値を計測するように構成されることを特徴とする請求項１記載の点灯装置。
【請求項３】
請求項１又は２の点灯装置と、光源装置とを有し、
前記光源装置は、固体発光素子を光源とする光源部と、前記光源部の電気的特性に対応した所定のインピーダンス値を有する第１インピーダンス素子と、前記光源部の状態に対応してインピーダンス値が変化する第２インピーダンス素子と前記第１インピーダンス素子の直列回路と、前記光源部と電気的に接続される一対の給電端子とを有し、少なくとも何れか一方の前記給電端子と前記直列回路とが電気的に接続されるように構成されることを特徴とする照明装置。
【請求項４】
請求項３の照明装置と、前記照明装置を保持して車両に取り付けられる灯具とを備えることを特徴とする車両用前照灯装置。
【発明の詳細な説明】
【技術分野】
【０００１】
本発明は、点灯装置、及び前記点灯装置と光源装置を有する照明装置、並びに前記照明装置を用いる車両用前照灯装置に関する。
【背景技術】
【０００２】
従来例として、特許文献１記載の電源ユニット（点灯装置）、光源ユニット（光源装置）、照明装置を例示する。
【０００３】
特許文献１記載の従来例は、１種類の電源ユニットに、電気的特性が異なる複数種類の光源ユニットが電気的に接続されても、それぞれの光源ユニットに適した電力が電源ユニットから供給されるように構成されている。
【０００４】
光源ユニットは、光源回路及び識別回路を有する。光源回路は、複数個の発光ダイオードの直列回路である。また、識別回路は、光源回路の電気的特性に対応した抵抗値を有する抵抗素子で構成される。光源ユニットにおいて、光源回路の一方の入力端と識別回路（抵抗素子）の一端がプラス側の入力端子に接続され、光源回路の他方の入力端がマイナス側の入力端子に接続され、識別回路の他端が信号端子に接続される。
【０００５】
電源ユニットは、出力が可変である電源回路（例えば、ＤＣ−ＤＣコンバータ）、種別判定部、点灯制御部などを有する。電源回路は、光源ユニットの２つの入力端子間に直流電圧を印加するように構成される。種別判定部は、光源ユニットの識別回路と直列に接続される分圧抵抗を有し、分圧抵抗の両端電圧を計測することで識別回路（抵抗素子）の抵抗値を検出し、検出した抵抗値に基づいて、光源ユニットの種別を判定するように構成される。点灯制御部は、種別判定部の判定結果に応じて負荷電流の目標値を決定し、電源回路を制御して出力電流を目標値に一致させるように構成される。なお、電源ユニットと光源ユニットとの電気的な接続にはコネクタが用いられる。
【０００６】
特許文献１記載の従来例では、電源回路から光源回路に印加される電圧を識別回路に印加することにより、電源ユニットと光源ユニットの間の配線数の削減が図られている。
【先行技術文献】
【特許文献】
【０００７】
【特許文献１】特開２０１１−１３８７１６号公報
【発明の概要】
【発明が解決しようとする課題】
【０００８】
ところで、特許文献１記載の従来例では、電源回路から光源ユニットに電流を供給する際に電源回路と光源ユニットを接続するコネクタの接触抵抗で発生する電圧降下が種別判定時に検出する信号に重畳される。そのため、種別判定部が光源ユニットを誤判定して、誤った出力を光源ユニットに供給（誤動作）してしまう虞がある。
【０００９】
本発明は、上記課題に鑑みて為されたものであり、誤動作の抑制を図ることを目的とする。
【課題を解決するための手段】
【００１０】
本発明の点灯装置は、電気的特性が異なる複数種類の光源装置を点灯する点灯装置であって、前記光源装置は、固体発光素子を光源とする光源部と、前記光源部の電気的特性に対応した所定のインピーダンス値を有する第１インピーダンス素子と、前記光源部の状態に対応してインピーダンス値が変化する第２インピーダンス素子と前記第１インピーダンス素子の直列回路と、前記光源部と電気的に接続される一対の給電端子とを有し、少なくとも何れか一方の前記給電端子と前記第１インピーダンス素子とが電気的に接続されるように構成され、一対の前記給電端子と各別且つ電気的に接続される一対の出力端子と、外部からの入力電力を直流電力に変換し且つ前記出力端子から出力する電力変換部と、少なくとも何れか一方の前記出力端子を介して前記第１インピーダンス素子に定電圧又は定電流を印加する電源部と、前記電力変換部の出力電圧・出力電流を目標値に一致させるように前記電力変換部を制御する制御部とを備え、前記制御部は、動作開始から点灯直前までの期間に前記光源部を点灯させない状態において、前記電源部から定電圧又は定電流を前記第１インピーダンス素子に印加させて前記第１インピーダンス素子のインピーダンス値を計測し、前記インピーダンス値の計測結果、あるいは前記第１インピーダンス素子の電圧検出値または電流検出値に対応した前記目標値を設定して前記光源部を点灯させるように構成され、前記制御部は、前記光源部を点灯させている状態において、前記第２インピーダンス素子の前記インピーダンス値を計測し、前記インピーダンス値の計測結果に対応して前記目標値を変更するように構成され、前記制御部は、前記光源部を点灯させない状態において、前記電源部から定電圧又は定電流を前記直列回路に印加させて前記第１インピーダンス素子のインピーダンス値を計測し、前記光源部を点灯させている状態において、前記電源部から定電圧又は定電流を前記第２インピーダンス素子のみに印加させ、かつ前記第１インピーダンス素子と電気的に接続された前記給電端子の接触抵抗によって生じる電圧降下を打ち消すように切り換えて前記第２インピーダンス素子のインピーダンス値を計測するように構成されることを特徴とする。
【００１２】
本発明の照明装置は、前記点灯装置と、光源装置とを有し、前記光源装置は、固体発光素子を光源とする光源部と、前記光源部の電気的特性に対応した所定のインピーダンス値を有する第１インピーダンス素子と、前記光源部の状態に対応してインピーダンス値が変化する第２インピーダンス素子と前記第１インピーダンス素子の直列回路と、前記光源部と電気的に接続される一対の給電端子とを有し、少なくとも何れか一方の前記給電端子と前記直列回路とが電気的に接続されるように構成されることを特徴とする。
【００１３】
本発明の車両用前照灯装置は、前記照明装置と、前記照明装置を保持して車両に取り付けられる灯具とを備えることを特徴とする。
【発明の効果】
【００１４】
本発明の点灯装置、照明装置及び車両用前照灯装置は、誤検出の抑制を図ることができるという効果がある。
【図面の簡単な説明】
【００１５】
【図１】本発明に係る点灯装置、光源装置、照明装置の実施形態１を示す回路構成図である。
【図２】本発明に係る点灯装置、光源装置、照明装置の実施形態２を示す回路構成図である。
【図３】本発明に係る点灯装置、光源装置、照明装置の実施形態３を示す回路構成図である。
【図４】本発明に係る点灯装置、光源装置、照明装置の実施形態４を示す回路構成図である。
【図５】本発明に係る点灯装置、光源装置、照明装置の実施形態５を示す回路構成図である。
【図６】本発明に係る点灯装置、光源装置、照明装置の実施形態６を示す回路構成図である。
【図７】本発明に係る車両用前照灯装置の実施形態７を示す断面図である。
【図８】同上を搭載した車両を示す斜視図である。
【発明を実施するための形態】
【００１６】
以下、本発明に係る点灯装置、光源装置、照明装置、車両用前照灯装置の実施形態について、図面を参照して詳細に説明する。
【００１７】
（実施形態１）
図１に、本実施形態の点灯装置１及び光源装置２（照明装置）の回路構成図を示す。本実施形態の照明装置は、点灯装置１と光源装置２を備える。
【００１８】
光源装置２は、光源部２０、第１インピーダンス素子２１、第１給電端子２２Ａ、第２給電端子２２Ｂ、信号端子２２Ｃなとを備える。
【００１９】
光源部２０は、複数個（図示例では５個）の発光ダイオード（ＬＥＤ）２００の直列回路で構成される。光源部２０の正極（一端側のＬＥＤ２００のアノード）と第１給電端子２２Ａが電気的に接続され、光源部２０の負極（他端側のＬＥＤ２００のカソード）と第２給電端子２２Ｂが電気的に接続される。ただし、光源部２０は、発光ダイオード以外の固体発光素子、例えば、有機エレクトロルミネッセンス素子などで構成されても構わない。
【００２０】
第１インピーダンス素子２１は、抵抗素子で構成される。第１インピーダンス素子２１のインピーダンス値（抵抗素子の抵抗値）は、光源部２０の電気的特性、例えば、光源部２０の定格電圧（各ＬＥＤ２００の順方向電圧の和）や定格電流の値などに対応している。第１インピーダンス素子２１の一端が信号端子２２Ｃと電気的に接続され、第１インピーダンス素子２１の他端が第２給電端子２２Ｂと電気的に接続される。
【００２１】
点灯装置１は、電力変換部１０、出力制御部１１、制御部１２、第１出力端子１３Ａ、第２出力端子１３Ｂ、信号端子１３Ｃ、アンドゲート１４などを備え、電源スイッチ５を介して外部電源４と電気的に接続される。外部電源４は、例えば、自動車などの車両に搭載される直流電源（バッテリ）でも構わないし、商用の交流電源が整流平滑された直流電源でも構わない。なお、点灯装置１は、電源スイッチ５がオフのときは外部電源４から給電されないために停止し、電源スイッチ５がオンのときに外部電源４から給電されて動作する。
【００２２】
電力変換部１０は、外部電源４から供給される直流電圧・直流電流を光源装置２に適した直流電圧・直流電流に変換し、変換後の直流電圧・直流電流を第１出力端子１３Ａと第２出力端子１３Ｂを介して光源装置２に出力するように構成される。なお、このような電力変換部１０は、例えば、スイッチング電源からなるＤＣ−ＤＣコンバータで構成されることが好ましい。ただし、電力変換部１０は、シリーズレギュレータで構成されても良いし、スイッチング電源からなるＤＣ−ＤＣコンバータとシリーズレギュレータを組み合わせた回路で構成されても良い。
【００２３】
出力制御部１１は、電力変換部１０の出力電圧及び出力電流を計測し、例えば、出力電流を目標値に一致させるように電力変換部１０を制御するように構成される。例えば、出力制御部１１は、ＰＷＭ（パルス幅変調）信号からなる駆動信号ＳＤを出力し、電力変換部１０の構成要素であるスイッチング素子のオンデューティ比を調整するように構成されることが好ましい。すなわち、出力制御部１１は、出力電流が目標値を下回っていればオンデューティ比を増加させ、出力電流が目標値を上回っていればオンデューティ比を減少させるように電力変換部１０を制御すれば良い。
【００２４】
アンドゲート１４は、出力制御部１１から出力される駆動信号ＳＤと、後述する第１制御信号Ｓ１との論理積を演算する。つまり、第１制御信号Ｓ１がハイレベルのときに出力制御部１１の駆動信号ＳＤがスイッチング素子のゲートに印加されて電力変換部１０が動作する。一方、第１制御信号Ｓ１がローレベルのときには出力制御部１１の駆動信号ＳＤがスイッチング素子のゲートに印加されないため、電力変換部１０が停止する。
【００２５】
制御部１２は、検出ブロック１２０、設定制御部１２１、第１保持部１２２、第１設定部１２３などを備えることが好ましい。
【００２６】
検出ブロック１２０は、電源部１２００、スイッチ素子１２０１、分圧抵抗１２０２などを備えることが好ましい。電源部１２００は、出力電圧が一定である直流電源からなり、負極が第２出力端子１３Ｂと電気的に接続され、正極が分圧抵抗１２０２及びスイッチ素子１２０１を介して信号端子１３Ｃと電気的に接続される。
【００２７】
スイッチ素子１２０１は、ｎチャネル型の電界効果トランジスタであり、ドレインが分圧抵抗１２０２と電気的に接続され、ソースが信号端子１３Ｃと電気的に接続される。スイッチ素子１２０１は、設定制御部１２１から出力される第２制御信号Ｓ２がゲートに印加され、第２制御信号Ｓ２がハイレベルの時にオンし、第２制御信号Ｓ２がローレベルのときにオフするように構成される。
【００２８】
第１保持部１２２は、第２出力端子１３Ｂ（グランド）に対する分圧抵抗１２０２とスイッチ素子１２０１との接続点の電位を計測し、且つその計測値（検出電圧）を保持（記憶）するように構成される。ただし、第１保持部１２２は、第１制御信号Ｓ１がローレベル且つ第２制御信号Ｓ２がハイレベルのときの計測値を保持するように構成される。
【００２９】
設定制御部１２１は、後述するタイミングで第１制御信号Ｓ１及び第２制御信号Ｓ２を出力するように構成されることが好ましい。
【００３０】
第１設定部１２３は、第１保持部１２２が保持する計測値を読み取り、当該計測値に対応した目標値（電力変換部１０の出力電流の目標値Ｉｘ）を出力制御部１１に指示するように構成される。第１設定部１２３は、複数種類の計測値に対応する目標値Ｉｘを記憶しており、第１保持部１２２から読み取る計測値と対応した目標値Ｉｘを決定するように構成される。
【００３１】
点灯装置１の第１出力端子１３Ａは、光源装置２の第１給電端子２２Ａと電気的に接続され、点灯装置１の第２出力端子１３Ｂは、光源装置２の第２給電端子２２Ｂと電気的に接続される。また、点灯装置１の信号端子１３Ｃは、光源装置２の信号端子２２Ｃと電気的に接続される。なお、点灯装置１の３つの端子１３Ａ〜１３Ｃと光源装置２の３つの端子２２Ａ〜２２Ｃとは、互いにコネクタ（レセプタクルコネクタ及びプラグコネクタ）を介して挿抜可能に接続されることが好ましい。
【００３２】
次に、本実施形態の点灯装置１の動作を説明する。電源スイッチ５がオンされると、出力制御部１１及び制御部１２が動作を開始する。設定制御部１２１は、動作開始直後からタイマを起動し、所定の出力設定期間をタイマにカウントさせる。そして、設定制御部１２１は、タイマが出力設定期間のカウントを完了するまで、第１制御信号Ｓ１をローレベルとし且つ第２制御信号Ｓ２をハイレベルとする。第１制御信号Ｓ１がローレベルである間、アンドゲート１４の出力がローレベルに固定されるために電力変換部１０が動作を停止する。
【００３３】
一方、第２制御信号Ｓ２がハイレベルであるから、スイッチ素子１２０１がオンする。その結果、電源部１２００から出力される定電圧が分圧抵抗１２０２とスイッチ素子１２０１と第１インピーダンス素子２１の直列回路に印加される。
【００３４】
第１保持部１２２は、第１制御信号Ｓ１がローレベル且つ第２制御信号Ｓ２がハイレベルであるので、分圧抵抗１２０２とスイッチ素子１２０１の接続点の電圧の計測値を保持する。なお、前記計測値Ｖ２は、電源部１２００の電圧をＶ１、分圧抵抗１２０２の抵抗値をＲ１、第１インピーダンス素子２１の抵抗値をＲ２としたとき、Ｖ２＝Ｖ１×Ｒ２／（Ｒ１＋Ｒ２）で表される。ただし、点灯装置１の３つの端子１３Ａ〜１３Ｃと光源装置２の３つの端子２２Ａ〜２２Ｃを接続するコネクタの接触抵抗は、分圧抵抗１２０２及び第１インピーダンス素子２１の抵抗値よりも充分に小さいので、無視しても構わない。また、スイッチ素子１２０１のオン抵抗も分圧抵抗１２０２及び第１インピーダンス素子２１の抵抗値よりも充分に小さいので、無視しても構わない。
【００３５】
第１設定部１２３は、第１保持部１２２から読み取る計測値と対応した目標値Ｉｘを決定し、決定した目標値Ｉｘを出力制御部１１に出力する。出力制御部１１は、起動直後から駆動信号ＳＤを出力しており、第１設定部１２３から出力される目標値Ｉｘと、出力電流とを一致させるように駆動信号ＳＤのオンデューティ比を調整する。
【００３６】
タイマが出力設定期間のカウントを完了すると、設定制御部１２１は、第１制御信号Ｓ１をハイレベルとし且つ第２制御信号Ｓ２をローレベルとする。第１制御信号Ｓ１がハイレベルになると、アンドゲート１４から駆動信号ＳＤが出力されて電力変換部１０のスイッチング素子に印加される。そして、電力変換部１０が動作を開始し、光源装置２の電気的特性に適応した直流電圧・直流電流を光源装置２に出力する。
【００３７】
一方、第２制御信号Ｓ２がローレベルになると、検出ブロック１２０のスイッチ素子１２０１がオフして電源部１２００と信号端子１３Ｃが切り離される。その結果、光源装置２の第１インピーダンス素子２１には電流が流れず、電力も消費されない。
【００３８】
而して、本実施形態の点灯装置１では、電源部１２００が第１インピーダンス素子２１に電圧を印加している間は電力変換部１０から光源部２０に電流（負荷電流）が供給されない。そのため、第２出力端子１３Ｂに光源部２０と第１インピーダンス素子２１が電気的且つ共通に接続されても、前記負荷電流による影響（コネクタの接触抵抗による電圧降下の影響）を回避することができる。
【００３９】
上述のように本実施形態の点灯装置１は、電気的特性が異なる複数種類の光源装置２を点灯する点灯装置である。光源装置２は、固体発光素子（ＬＥＤ２００）を光源とする光源部２０と、光源部２０の電気的特性に対応した所定のインピーダンス値を有する第１インピーダンス素子２１と、光源部２０と電気的に接続される一対の給電端子２２Ａ，２２Ｂとを有する。また、光源装置２は、少なくとも何れか一方の給電端子２２Ｂと第１インピーダンス素子２１とが電気的に接続されるように構成される。
【００４０】
点灯装置１は、一対の給電端子２２Ａ，２２Ｂと各別且つ電気的に接続される一対の出力端子１３Ａ、１３Ｂと、外部からの入力電力を直流電力に変換し且つ出力端子１３Ａ、１３Ｂから出力する電力変換部１０とを備える。また、点灯装置１は、少なくとも何れか一方の出力端子１３Ｂを介して第１インピーダンス素子２１に定電圧又は定電流を印加する電源部１２００を備える。さらに、点灯装置１は、電力変換部１０の出力電圧・出力電流を目標値Ｉｘに一致させるように電力変換部１０を制御する制御部（出力制御部１１及び制御部１２）を備える。
【００４１】
制御部１２は、動作開始から点灯直前までの期間に光源部２０を点灯させない状態において、電源部１２００から定電圧又は定電流を第１インピーダンス素子２１に印加させて第１インピーダンス素子２１のインピーダンス値を計測するように構成される。あるいは、制御部１２は、動作開始から点灯直前までの期間に光源部２０を点灯させない状態において、電源部１２００から定電圧又は定電流を第１インピーダンス素子２１に印加させて第１インピーダンス素子２１の電圧または電流を検出するように構成される。さらに、制御部１２は、前記インピーダンス値の計測結果、あるいは前記第１インピーダンス素子の電圧検出値または電流検出値に対応した前記目標値Ｉｘを設定して光源部２０を点灯させるように構成される。
【００４２】
本実施形態の点灯装置１は上述のように構成され、第１インピーダンス素子２１が接続された第２出力端子１３Ｂに光源部の負荷電流が流れていないとき、第１インピーダンス素子２１のインピーダンス計測を行う。これにより、本実施形態の点灯装置１は、コネクタの接触抵抗による電圧降下の影響を回避することができるため、従来例と比較して、出力目標値を設定する第１インピーダンス素子２１のインピーダンス値の誤判定をを抑制することができる。
【００４３】
また、本実施形態の光源装置２は、固体発光素子（ＬＥＤ２００）を光源とする光源部２０と、光源部２０の電気的特性に対応した所定のインピーダンス値を有する第１インピーダンス素子２１とを有する。また、本実施形態の光源装置２は、光源部２０と電気的に接続される一対の給電端子２２Ａ、２２Ｂを有し、少なくとも何れか一方の給電端子２２Ａ、２２Ｂと第１インピーダンス素子２１とが電気的に接続されるように構成される。
【００４４】
さらに、本実施形態の照明装置は、点灯装置１と光源装置２を有する。なお、第１インピーダンスの印加電圧検出信号から直接出力電流目標値を得る構成であってもよく、図１では検出信号を保持する構成となっていたが、検出値に対応した目標設定値を保持（記憶）する構成であってもよい。
【００４５】
上述のように本実施形態の光源装置２及び照明装置では、点灯装置１に光源装置２の第１インピーダンス素子２１のインピーダンス値が誤判定されて誤動作することを抑制できる。
【００４６】
（実施形態２）
ところで、ＬＥＤのような固体発光素子は、白熱ランプや蛍光ランプなどに比べて、温度による劣化の度合が大きいという特徴を有している。しかも、照明用途においては、相対的に大きな電流が流れるため、固体発光素子の温度が過度に上昇した場合、特性および寿命が著しく低下してしまう虞がある。
【００４７】
そこで、本実施形態の照明装置（点灯装置１及び光源装置２）は、光源部２０の温度（光源部２０自身の温度若しくは光源部２０の周囲の雰囲気温度）を計測し、計測値に基づいて点灯装置１から光源装置２に供給する電力を調整するように構成される。
【００４８】
以下、図２を参照して、本実施形態の点灯装置１及び光源装置２を説明する。ただし、実施形態１の点灯装置１及び光源装置２と共通の構成要素には同一の符号を付して説明を省略する。
【００４９】
光源装置２は、第２インピーダンス素子２３と第１インピーダンス素子２１の直列回路を備える。第２インピーダンス素子２３は、例えば、正特性サーミスタなどの感温抵抗素子からなり、光源部２０の温度に応じてインピーダンス値（抵抗値）が変化するように構成される。
【００５０】
光源装置２において、第２インピーダンス素子２３の一端が第１信号端子２２Ｃと電気的に接続され、第２インピーダンス素子２３の他端が第１インピーダンス素子２１の一端及び第２信号端子２２Ｄと電気的に接続される。
【００５１】
点灯装置１は、実施形態１と同様に、電力変換部１０、出力制御部１１、制御部１２、第１出力端子１３Ａ、第２出力端子１３Ｂ、信号端子１３Ｃ、アンドゲート１４などを備える。
【００５２】
また、制御部１２は、実施形態１と同様に、検出ブロック１２０、設定制御部１２１、第１保持部１２２、第１設定部１２３などを備える。さらに、制御部１２は、第２保持部１２４、第２設定部１２５、ノットゲート１２６、加算器１２７などを追加で備えることが好ましい。
【００５３】
検出ブロック１２０は、実施形態１と同様に、電源部１２００、スイッチ素子１２０１、分圧抵抗１２０２などを備える。電源部１２００の正極は、分圧抵抗１２０２を介して信号端子（第１信号端子１３Ｃ）と電気的に接続される。
【００５４】
スイッチ素子１２０１のドレインが第２信号端子１３Ｄと電気的に接続され、スイッチ素子１２０１のソースが第２出力端子１３Ｂと電気的に接続される。スイッチ素子１２０１は、実施形態１と同様に、設定制御部１２１から出力される第２制御信号Ｓ２がハイレベルのときにオンし、第２制御信号Ｓ２がローレベルのときにオフするように構成される。
【００５５】
点灯装置１の第１出力端子１３Ａは、光源装置２の第１給電端子２２Ａと電気的に接続され、点灯装置１の第２出力端子１３Ｂは、光源装置２の第２給電端子２２Ｂと電気的に接続される。また、点灯装置１の第１信号端子１３Ｃは、光源装置２の第１信号端子２２Ｃと電気的に接続され、点灯装置１の第２信号端子１３Ｄは、光源装置２の第２信号端子２２Ｄと電気的に接続される。なお、点灯装置１の４つの端子１３Ａ〜１３Ｄと光源装置２の４つの端子２２Ａ〜２２Ｄとは、互いにコネクタ（レセプタクルコネクタ及びプラグコネクタ）を介して挿抜可能に接続されることが好ましい。
【００５６】
第１保持部１２２は、第２出力端子１３Ｂ（グランド）に対する分圧抵抗１２０２と第１信号端子１３Ｃとの接続点の電位を計測し、且つその計測値（第１検出電圧）を保持（記憶）するように構成される。ただし、第１保持部１２２は、第１制御信号Ｓ１がローレベル且つ第２制御信号Ｓ２がローレベルのときの計測値を保持するように構成される。
【００５７】
一方、第２保持部１２４は、第１保持部１２２と同様に、第２出力端子１３Ｂ（グランド）に対する分圧抵抗１２０２と第１信号端子１３Ｃとの接続点の電位を計測し、且つその計測値（第２検出電圧）を保持（記憶）するように構成される。ノットゲート１２６は、第２制御信号Ｓ２を反転して第２保持部１２４に出力するように構成される。故に、第２保持部１２４は、第１制御信号Ｓ１がハイレベル且つ第２制御信号Ｓ２がハイレベル（実際の入力はノットゲート１２６に反転されてローレベル）のときの計測値を保持するように構成される。
【００５８】
設定制御部１２１は、後述するタイミングで第１制御信号Ｓ１及び第２制御信号Ｓ２を出力するように構成されることが好ましい。
【００５９】
第２設定部１２５は、第２保持部１２４と同様に、第２出力端子１３Ｂ（グランド）に対する分圧抵抗１２０２と第１信号端子１３Ｃとの接続点の電位を計測し、且つその計測値（第２検出電圧）に対応した調整値ΔＩｘを出力するように構成される。この調整値ΔＩｘは、例えば、第２検出電圧がしきい値未満のときはゼロであり、第２検出電圧がしきい値以上のときは第２検出電圧の増大に応じて増加する値に設定されることが好ましい。
【００６０】
加算器１２７は、第１設定部１２３から出力される目標値Ｉｘと、第２設定部１２５から出力される調整値ΔＩｘの符号を反転した値とを加算、つまり、目標値Ｉｘから調整値ΔＩｘを減算した調整後の目標値Ｉｘｙ（＝Ｉｘ−ΔＩｘ）を出力制御部１１に出力する。出力制御部１１は、加算器１２７から出力される目標値Ｉｘｙと、出力電流とを一致させるように駆動信号ＳＤのオンデューティ比を調整する。
【００６１】
次に、本実施形態の点灯装置１の動作を説明する。電源スイッチ５がオンされると、出力制御部１１及び制御部１２が動作を開始する。設定制御部１２１は、動作開始直後からタイマを起動し、第１検出期間をカウントさせる。そして、設定制御部１２１は、タイマが第１検出期間のカウントを完了するまで、第１制御信号Ｓ１及び第２制御信号Ｓ２を双方ともローレベルとする。第１制御信号Ｓ１がローレベルである間、アンドゲート１４の出力がローレベルに固定されるために電力変換部１０が動作を停止する。
【００６２】
一方、第２制御信号Ｓ２がローレベルであるから、スイッチ素子１２０１はオンしない。その結果、電源部１２００から出力される定電圧が、分圧抵抗１２０２と第１インピーダンス素子２１と第２インピーダンス素子２３の直列回路に印加される。
【００６３】
第１保持部１２２は、第１制御信号Ｓ１及び第２制御信号Ｓ２が双方ともローレベルであるので、分圧抵抗１２０２と第１信号端子１３Ｃの接続点の電圧の計測値（第１検出電圧）を保持する。なお、第１検出電圧Ｖ２は、電源部１２００の電圧をＶ１、分圧抵抗１２０２の抵抗値をＲ１、第１インピーダンス素子２１の抵抗値をＲ２、第２インピーダンス素子２３の抵抗値をＲｘとしたとき、Ｖ２＝Ｖ１×（Ｒ２＋Ｒｘ）／（Ｒ１＋Ｒ２＋Ｒｘ）で表される。ただし、点灯装置１の４つの端子１３Ａ〜１３Ｄと光源装置２の４つの端子２２Ａ〜２２Ｄを接続するコネクタの接触抵抗は、分圧抵抗１２０２及び第１インピーダンス素子２１、第２インピーダンス素子２３の抵抗値よりも充分に小さいので、無視しても構わない。
【００６４】
タイマが第１検出期間のカウントを完了すると、設定制御部１２１は、タイマに第２検出期間のカウントを開始させる。さらに、設定制御部１２１は、タイマが第２検出期間のカウントを完了するまで、第１制御信号Ｓ１をローレベルとしたまま、第２制御信号Ｓ２をハイレベルとする。第２制御信号Ｓ２がハイレベルになると、スイッチ素子１２０１がオンする。その結果、第１信号端子１３Ｃと第２信号端子１３Ｄがスイッチ素子１２０１を介して短絡される。
【００６５】
第１保持部１２２は、第２制御信号Ｓ２がハイレベルであるので、第１検出電圧を更新しない。一方、第２保持部１２４は、ノットゲート１２６でローレベルに反転された第２制御信号Ｓ２が入力されるので、分圧抵抗１２０２と第１信号端子１３Ｃとの接続点の電位の計測値（第２検出電圧）を保持する。第２検出電圧Ｖ３は、第１インピーダンス素子２１の両端がスイッチ素子１２０１で短絡されているため、Ｖ３＝Ｖ１×Ｒｘ／（Ｒ１＋Ｒｘ）で表される。ただし、スイッチ素子１２０１のオン抵抗の抵抗値は分圧抵抗１２０２の抵抗値や第２インピーダンス素子２３の抵抗値よりも充分に小さいので、無視しても構わない。
【００６６】
第１設定部１２３は、第１保持部１２２が保持する第１検出電圧Ｖ２と、第２保持部１２４が保持する第２検出電圧Ｖ３との差分から第１インピーダンス素子２１のインピーダンス値（抵抗値）を推定する。そして、第１設定部１２３は、推定したインピーダンス値に対応した目標値Ｉｘを決定し、決定した目標値Ｉｘを加算器１２７に出力する。出力制御部１１は、加算器１２７から出力される目標値Ｉｘｙと、出力電流とを一致させるように駆動信号ＳＤのオンデューティ比を調整する。
【００６７】
タイマが第２検出期間のカウントを完了すると、設定制御部１２１は、第２制御信号Ｓ２をハイレベルとしたまま、第１制御信号Ｓ１をハイレベルとする。第１制御信号Ｓ１がハイレベルになると、アンドゲート１４から駆動信号ＳＤが出力されて電力変換部１０のスイッチング素子に印加される。そして、電力変換部１０が動作を開始し、光源装置２の電気的特性に適応した直流電圧・直流電流を光源装置２に出力する。
【００６８】
ここで、電力変換部１０から光源部２０に直流電流が供給されている場合、第２制御信号Ｓ２がハイレベルに固定されてスイッチ素子１２０１がオンのままとなる。その結果、光源装置２の第１インピーダンス素子２１には電流が流れず、電力も消費されない。
【００６９】
また、通電によって光源部２０の温度が上昇すると、第２インピーダンス素子２３のインピーダンス値（抵抗値）も増加する。そして、前記インピーダンス値が増加して第２検出電圧Ｖ３がしきい値を超えると、第２設定部１２５から、第２検出電圧Ｖ３の増大に応じて増加する調整値ΔＩｘが加算器１２７に出力される。そして、加算器１２７から出力制御部１１に出力される目標値Ｉｘｙが調整値ΔＩｘの分だけ減少するので、電力変換部１０から光源部２０に供給される直流電流が減少し、光源部２０の温度上昇を抑制する。
【００７０】
なお、本実施形態では第２インピーダンス素子２３として感温抵抗素子を例示しているが、光源部２０から放射される光の強度に応じてインピーダンス値が変化する光電変換素子などが第２インピーダンス素子２３とされても構わない。光電変換素子が第２インピーダンス素子２３とされれば、光強度に応じて出力電流を調整することが可能となる。
【００７１】
本実施形態の光源装置２は、光源部２０の状態に対応してインピーダンス値が変化する第２インピーダンス素子２３を有する。また、本実施形態の点灯装置１において、制御部１２は、光源部２０を点灯させている状態において、第２インピーダンス素子２３のインピーダンス値を計測し、前記インピーダンス値の計測結果に対応して前記目標値Ｉｘｙを変更するように構成されることが好ましい。
【００７２】
本実施形態の点灯装置１では、制御部１２が、光源部２０の状態（例えば、温度）を第２インピーダンス素子２３のインピーダンス値から判定し、当該インピーダンス値に応じて目標値を変更することにより、光源部２０の状態を良くすることができる。
【００７３】
さらに、本実施形態の光源装置２において、第１インピーダンス素子２１と第２インピーダンス素子２３の直列回路を有することが好ましい。また、本実施形態の点灯装置１において、制御部１２は、光源部２０を点灯させない状態において、下記の条件の下で第１インピーダンス素子２１のインピーダンス値を計測するように構成されることが好ましい。前記条件は、電源部１２００から定電圧又は定電流を前記直列回路に印加させ、かつ前記第１インピーダンス素子と電気的に接続された給電端子の接触抵抗によって生じる電圧降下を打ち消すように切り換えることであることが好ましい。
【００７４】
本実施形態の光源装置２及び点灯装置１では、第１インピーダンス素子２１と第２インピーダンス素子２３が直列回路を構成しているため、点灯装置１と光源装置２の間の配線数を減らすことができる。
【００７５】
また、本実施形態の点灯装置１において、制御部１２は、電源部１２００に対して第１インピーダンス素子２１と並列且つ電気的に接続されるスイッチ要素（スイッチ素子１２０１）を有することが好ましい。制御部１２は、光源部２０を点灯させない状態において、スイッチ要素をオフして電源部１２００から定電圧又は定電流を第１インピーダンス素子２１に印加させて第１インピーダンス素子２１のインピーダンス値を計測するように構成されることが好ましい。制御部１２は、光源部２０を点灯させている状態において、スイッチ要素をオンして電源部１２００から定電圧又は定電流を第２インピーダンス素子２３に印加させて第２インピーダンス素子２３のインピーダンス値を計測するように構成されることが好ましい。
【００７６】
なお、光源部２０を点灯させている状態において、制御部１２は、第１インピーダンス素子２１の両端をスイッチ素子１２０１で短絡する代わりに、第１インピーダンス素子２１の両端に定電圧を印加しても構わない。定電圧を印加することにより、制御部１２は、第１インピーダンス素子２１及び端子２２Ｂの接触抵抗における電圧降下の影響を受けること無く、第２インピーダンス素子２３のインピーダンス値を計測することができる。
【００７７】
（実施形態３）
以下、図３を参照して、本実施形態の点灯装置１及び光源装置２を説明する。ただし、本実施形態の光源装置２は実施形態２の光源装置２と同一である。また、本実施形態の点灯装置１は、実施形態２の点灯装置１と基本的な構成が共通している。故に、実施形態２の点灯装置１及び光源装置２と共通の構成要素には同一の符号を付して説明を省略する。
【００７８】
点灯装置１は、実施形態２と同様に、電力変換部１０、出力制御部１１、制御部１２、第１出力端子１３Ａ、第２出力端子１３Ｂ、第１信号端子１３Ｃ、第２信号端子１３Ｄ、アンドゲート１４などを備える。
【００７９】
また、制御部１２は、実施形態２と同様に、検出ブロック１２０、設定制御部１２１、第１設定部１２３、第２設定部１２５、加算器１２７を備える。さらに、制御部１２は、第１保持部１２２及び第２保持部１２４に代えて、記憶部１２８を備えることが好ましい。
【００８０】
検出ブロック１２０は、電源部１２００、分圧抵抗１２０２、第１スイッチ素子１２０３、第２スイッチ素子１２０４、ノットゲート１２０５などを備える。電源部１２００の正極は、分圧抵抗１２０２を介して第１信号端子１３Ｃ及び第１スイッチ素子１２０３の一端と電気的に接続される。第１スイッチ素子１２０３の他端及び第２スイッチ素子１２０４の一端が、第２信号端子１３Ｄと電気的に接続される。第２スイッチ素子１２０４の他端は第２出力端子１３Ｂと電気的に接続される。第１スイッチ素子１２０３は、設定制御部１２１から出力される第１制御信号Ｓ１がノットゲート１２０５を介して入力される。また、第２スイッチ素子１２０４は、第１制御信号Ｓ１が直接入力される。つまり、第１制御信号Ｓ１がハイレベルのとき、第１スイッチ素子１２０３がオフし、第２スイッチ素子１２０４がオンする。一方、第１制御信号Ｓ１がローレベルのとき、第１スイッチ素子１２０３がオンし、第２スイッチ素子１２０４がオフする。なお、第１スイッチ素子１２０３とノットゲート１２０５は、ｐチャネル型のＭＯＳＦＥＴで構成されることが好ましく、第２スイッチ素子１２０４は、ｎチャネル型のＭＯＳＦＥＴで構成されることが好ましい。
【００８１】
記憶部１２８は、第１制御信号Ｓ１がローレベルのとき、第１設定部１２３から出力される目標値Ｉｘを記憶し、第１制御信号Ｓ１がハイレベルのとき、前記目標値Ｉｘを加算器１２７へ出力するように構成される。
【００８２】
次に、本実施形態の点灯装置１の動作を説明する。電源スイッチ５がオンされると、出力制御部１１及び制御部１２が動作を開始する。設定制御部１２１は、動作開始直後からタイマを起動し、検出期間をカウントさせる。そして、設定制御部１２１は、タイマが検出期間のカウントを完了するまで、第１制御信号Ｓ１をローレベルとする。第１制御信号Ｓ１がローレベルである間、アンドゲート１４の出力がローレベルに固定されるために電力変換部１０が動作を停止する。
【００８３】
また、第１制御信号Ｓ１がローレベルであるから、第１スイッチ素子１２０３がオンし、第２スイッチ素子１２０４がオフする。つまり、第１信号端子１３Ｃと第２信号端子１３Ｄが第１スイッチ素子１２０３を介して短絡される。その結果、電源部１２００から出力される定電圧が、分圧抵抗１２０２と第１インピーダンス素子２１の直列回路に印加される。
【００８４】
第１設定部１２３は、分圧抵抗１２０２と第１信号端子１３Ｃの接続点の電圧の計測値（第１検出電圧Ｖ２）から第１インピーダンス素子２１のインピーダンス値（抵抗値）を推定する。第１検出電圧Ｖ２は、電源部１２００の電圧をＶ１、分圧抵抗１２０２の抵抗値をＲ１、第１インピーダンス素子２１の抵抗値をＲ２としたとき、Ｖ２＝Ｖ１×Ｒ２／（Ｒ１＋Ｒ２）で表される。したがって、電圧Ｖ１及び抵抗値Ｒ１が既知であるから、第１検出電圧Ｖ２から第１インピーダンス素子２１の抵抗値Ｒ２を、演算によって求める（推定する）ことができる。そして、第１設定部１２３は、抵抗値Ｒ２に対応した目標値Ｉｘを決定し、決定した目標値Ｉｘを記憶部１２８に出力する。記憶部１２８は、第１制御信号Ｓ１がローレベルであるので、第１設定部１２３から出力される目標値Ｉｘを記憶する。
【００８５】
タイマが検出期間のカウントを完了すると、設定制御部１２１は、第１制御信号Ｓ１をハイレベルとする。第１制御信号Ｓ１がハイレベルになると、第１スイッチ素子１２０３がオフし、第２スイッチ素子１２０４がオンする。その結果、第２信号端子１３Ｄと第２出力端子１３Ｂが第２スイッチ素子１２０４を介して短絡される。
【００８６】
第１制御信号Ｓ１がハイレベルになると、アンドゲート１４から駆動信号ＳＤが出力されて電力変換部１０のスイッチング素子に印加される。そして、電力変換部１０が動作を開始し、光源装置２の電気的特性に適応した直流電圧・直流電流を光源装置２に出力する。また、記憶部１２８は、第１制御信号Ｓ１がローレベルのときに記憶した目標値Ｉｘを加算器１２７に出力する。
【００８７】
ここで、電力変換部１０から光源部２０に直流電流が供給されている場合、第１制御信号Ｓ１がハイレベルに固定されて第１スイッチ素子１２０３がオフ、第２スイッチ素子１２０４がオンのままとなる。その結果、光源装置２の第１インピーダンス素子２１には電流が流れず、電力も消費されない。
【００８８】
また、通電によって光源部２０の温度が上昇すると、第２インピーダンス素子２３のインピーダンス値（抵抗値）も増加する。そして、前記インピーダンス値が増加して第２検出電圧Ｖ３（＝Ｖ１×Ｒｘ／（Ｒ１＋Ｒｘ））がしきい値を超えると、第２設定部１２５から、第２検出電圧Ｖ３の増大に応じて増加する調整値ΔＩｘが加算器１２７に出力される。そして、加算器１２７から出力制御部１１に出力される目標値Ｉｘｙが調整値ΔＩｘの分だけ減少するので、電力変換部１０から光源部２０に供給される直流電流が減少し、光源部２０の温度上昇を抑制する。
【００８９】
なお、本実施形態では、実施形態２と同様に第２インピーダンス素子２３として感温抵抗素子を例示しているが、光源部２０から放射される光の強度に応じてインピーダンス値が変化する光電変換素子などが第２インピーダンス素子２３とされても構わない。光電変換素子が第２インピーダンス素子２３とされれば、光強度に応じて出力電流を調整することが可能となる。
【００９０】
本実施形態の点灯装置１によれば、実施形態２の点灯装置１と比較して、第１インピーダンス素子２１のインピーダンス値を推定する演算処理が簡素化できるという利点がある。
【００９１】
（実施形態４）
以下、図４を参照して、本実施形態の点灯装置１及び光源装置２を説明する。ただし、本実施形態の光源装置２は実施形態２，３の光源装置２と同一である。また、本実施形態の点灯装置１は、実施形態３の点灯装置１と基本的な構成が共通している。故に、実施形態３の点灯装置１及び光源装置２と共通の構成要素には同一の符号を付して説明を省略する。
【００９２】
本実施形態の点灯装置１は、制御部１２の検出ブロック１２０の構成が実施形態３と異なる。本実施形態における検出ブロック１２０は、電源部１２００、第１分圧抵抗１２０２、第２分圧抵抗１２０６、第１スイッチ素子１２０７、第２スイッチ素子１２０８などを備える。
【００９３】
電源部１２００の正極に、第２分圧抵抗１２０６の一端と第２スイッチ素子１２０８の一端とが電気的に接続される。また、第２分圧抵抗１２０６の他端と第２スイッチ素子１２０８の他端とが第２信号端子１３Ｄと電気的に接続される。
【００９４】
第１分圧抵抗１２０２の一端が第１信号端子１３Ｃと電気的に接続され、第１分圧抵抗１２０２の他端が第１スイッチ素子１２０７の一端と電気的に接続される。また、第１スイッチ素子１２０７の他端が電源部１２００の負極とともにグランドに電気的に接続される。なお、第１スイッチ素子１２０７及び第２スイッチ素子１２０８は、設定制御部１２１から出力される第１制御信号Ｓ１がハイレベルのときにオンし、第１制御信号Ｓ１がローレベルのときにオフするように構成される。なお、これら２つのスイッチ素子１２０７、１２０８は、例えば、ｎチャネル型のＭＯＳＦＥＴで構成されることが好ましい。
【００９５】
次に、本実施形態の点灯装置１の動作を説明する。電源スイッチ５がオンされると、出力制御部１１及び制御部１２が動作を開始する。設定制御部１２１は、動作開始直後からタイマを起動し、検出期間をカウントさせる。そして、設定制御部１２１は、タイマが検出期間のカウントを完了するまで、第１制御信号Ｓ１をローレベルとする。第１制御信号Ｓ１がローレベルである間、アンドゲート１４の出力がローレベルに固定されるために電力変換部１０が動作を停止する。
【００９６】
また、第１制御信号Ｓ１がローレベルであるから、第１スイッチ素子１２０７及び第２スイッチ素子１２０８が双方ともオフする。したがって、電源部１２００の正極が第２分圧抵抗１２０６を介して第２信号端子１３Ｄと導通する。このとき、第１信号端子１３Ｃと電気的に接続されている第１設定部１２３及び第２設定部１２５の入力インピーダンスが、第２インピーダンス素子２３のインピーダンス値よりも充分に大きいので、第２インピーダンス素子２３に電流が流れない。つまり、電源部１２００から出力される定電圧が、第２分圧抵抗１２０６と第１インピーダンス素子２１の直列回路にのみ印加されることになる。
【００９７】
第１設定部１２３は、第２分圧抵抗１２０６と第１信号端子１３Ｃの接続点の電圧の計測値（第１検出電圧Ｖ２）から第１インピーダンス素子２１のインピーダンス値（抵抗値）を推定する。第１検出電圧Ｖ２は、電源部１２００の電圧をＶ１、第２分圧抵抗１２０６の抵抗値をＲ４、第１インピーダンス素子２１の抵抗値をＲ２としたとき、Ｖ２＝Ｖ１×Ｒ２／（Ｒ４＋Ｒ２）で表される。したがって、電圧Ｖ１及び抵抗値Ｒ４が既知であるから、第１検出電圧Ｖ２から第１インピーダンス素子２１の抵抗値Ｒ２を、演算によって求める（推定する）ことができる。そして、第１設定部１２３は、抵抗値Ｒ４に対応した目標値Ｉｘを決定し、決定した目標値Ｉｘを記憶部１２８に出力する。記憶部１２８は、第１制御信号Ｓ１がローレベルであるので、第１設定部１２３から出力される目標値Ｉｘを記憶する。
【００９８】
タイマが検出期間のカウントを完了すると、設定制御部１２１は、第１制御信号Ｓ１をハイレベルとする。第１制御信号Ｓ１がハイレベルになると、第１スイッチ素子１２０７及び第２スイッチ素子１２０８が双方ともオンする。その結果、第１信号端子１３Ｃが第１分圧抵抗１２０２及び第１スイッチ素子１２０７を介してグランドに電気的に接続され、第２信号端子１３Ｄが第２スイッチ素子１２０８を介して電源部１２００の正極に電気的に接続される。
【００９９】
第１制御信号Ｓ１がハイレベルになると、アンドゲート１４から駆動信号ＳＤが出力されて電力変換部１０のスイッチング素子に印加される。そして、電力変換部１０が動作を開始し、光源装置２の電気的特性に適応した直流電圧・直流電流を光源装置２に出力する。また、記憶部１２８は、第１制御信号Ｓ１がローレベルのときに記憶した目標値Ｉｘを加算器１２７に出力する。
【０１００】
ここで、第２信号端子１３Ｄの電位（グランドに対する電位。以下、同じ。）は電源部１２００の正極の電位（一定の電位）に維持される。つまり、第２信号端子１３Ｄと電気的に接続されている第２信号端子２２Ｄの電位も一定の電位に維持される。そのため、第２検出電圧Ｖ３（第１分圧抵抗１２０２と第１信号端子１３Ｃの接続点の電位）が、第２給電端子２２Ｂのコンタクトと第２出力端子１３Ｂのコンタクトの接触抵抗による電圧降下の影響を受け難くなる。このとき、第２検出電圧Ｖ３は、Ｖ３＝Ｖ１×Ｒ１／（Ｒ１＋Ｒｘ）で表される。故に、光源部２０の温度上昇に伴って第２インピーダンス素子２３のインピーダンス値が増加すると、第２検出電圧Ｖ３が第２インピーダンス素子２３のインピーダンス値に反比例して減少する。
【０１０１】
而して、通電によって光源部２０の温度が上昇し、第２インピーダンス素子２３のインピーダンス値（抵抗値）が増加して第２検出電圧Ｖ３がしきい値を下回ると、第２設定部１２５から、第２検出電圧Ｖ３の減少に応じて増加する調整値ΔＩｘが加算器１２７に出力される。そして、加算器１２７から出力制御部１１に出力される目標値Ｉｘｙが調整値ΔＩｘの分だけ減少するので、電力変換部１０から光源部２０に供給される直流電流が減少し、光源部２０の温度上昇を抑制する。
【０１０２】
なお、本実施形態では、実施形態２、３と同様に第２インピーダンス素子２３として感温抵抗素子を例示しているが、光源部２０から放射される光の強度に応じてインピーダンス値が変化する光電変換素子などが第２インピーダンス素子２３とされても構わない。
【０１０３】
本実施形態の点灯装置１によれば、実施形態２の点灯装置１と比較して、第１インピーダンス素子２１のインピーダンス値を推定する演算処理が簡素化できるという利点がある。また、第１検出電圧Ｖ２における分圧比（第２分圧抵抗１２０６の抵抗値Ｒ４）と、第２検出電圧Ｖ３における分圧比（第１分圧抵抗１２０２の抵抗値Ｒ１）とが独立して調整可能になるという利点もある。
【０１０４】
（実施形態５）
以下、図５を参照して、本実施形態の点灯装置１及び光源装置２を説明する。ただし、本実施形態の点灯装置１及び光源装置２の基本構成は実施形態３、４の点灯装置１及び光源装置２と同一である。故に、実施形態３、４の点灯装置１及び光源装置２と共通の構成要素には同一の符号を付して説明を省略する。
【０１０５】
本実施形態の光源装置２では、第１インピーダンス素子２１が光源部２０と並列に第１給電端子２２Ａ及び第２給電端子２２Ｂと電気的に接続され、第２インピーダンス素子２３が第１信号端子１３Ｃと第２信号端子１３Ｄに電気的に接続されている。
【０１０６】
本実施形態の点灯装置１は、制御部１２の検出ブロック１２０の構成が実施形態４と異なる。本実施形態における検出ブロック１２０は、電源部１２００、スイッチ素子１２０１、第１分圧抵抗１２０２、第２分圧抵抗１２０６、ノットゲート１２０９などを備える。
【０１０７】
電源部１２００の正極に第１分圧抵抗１２０２の一端と第２分圧抵抗１２０６の一端とが電気的に接続される。第２分圧抵抗１２０６の他端が第１信号端子１３Ｃと電気的に接続される。第１分圧抵抗１２０２の他端はスイッチ素子１２０１を介して第１出力端子１３Ａと電気的に接続される。また、電力変換部１０の高電位側の出力端にダイオード１５のアノードが電気的に接続され、ダイオード１５のカソードがスイッチ素子１２０１の一端及び第１出力端子１３Ａと電気的に接続される。
【０１０８】
第２信号端子１３Ｄは、グランドに電気的に接続される。第２出力端子１３Ｂは、グランドと電力変換部１０の低電位側の出力端子とに電気的に接続される。ノットゲート１２０９は、第１制御信号Ｓ１を反転してスイッチ素子１２０１に出力するように構成される。故に、スイッチ素子１２０１は、第１制御信号Ｓ１がローレベルのときにオンし、ハイレベルのときにオフする。
【０１０９】
第１設定部１２３は、第１出力端子１３Ａの電位（グランドとの電位差）を第１検出電圧Ｖ２として検出するように構成される。第２設定部１２５は、実施形態１〜４と同様に、第１信号端子１３Ｃの電位（グランドとの電位差）を第２検出電圧Ｖ３として検出するように構成される。
【０１１０】
次に、本実施形態の点灯装置１の動作を説明する。電源スイッチ５がオンされると、出力制御部１１及び制御部１２が動作を開始する。設定制御部１２１は、動作開始直後からタイマを起動し、検出期間をカウントさせる。そして、設定制御部１２１は、タイマが検出期間のカウントを完了するまで、第１制御信号Ｓ１をローレベルとする。第１制御信号Ｓ１がローレベルである間、アンドゲート１４の出力がローレベルに固定されるために電力変換部１０が動作を停止する。
【０１１１】
また、第１制御信号Ｓ１がローレベルであるから、スイッチ素子１２０１がオンする。したがって、電源部１２００の正極が第１分圧抵抗１２０２を介して第１出力端子１３Ａと導通する。なお、電源部１２００の出力電圧が、光源部２０の最低動作電圧（＝ＬＥＤ２００の最低順方向電圧×直列接続されている個数）よりも充分に低い電圧に設定することで、光源部２０には電流が流れない。つまり、電源部１２００から出力される定電圧が、第１分圧抵抗１２０２と第１インピーダンス素子２１の直列回路にのみ印加されることになる。
【０１１２】
第１設定部１２３は、第１検出電圧Ｖ２から第１インピーダンス素子２１のインピーダンス値（抵抗値）を推定する。第１検出電圧Ｖ２は、電源部１２００の電圧をＶ１、第１分圧抵抗１２０２の抵抗値をＲ１、第１インピーダンス素子２１の抵抗値をＲ２としたとき、Ｖ２＝Ｖ１×Ｒ２／（Ｒ１＋Ｒ２）で表される。したがって、電圧Ｖ１及び抵抗値Ｒ１が既知であるから、第１検出電圧Ｖ２から第１インピーダンス素子２１の抵抗値Ｒ２を、演算によって求める（推定する）ことができる。そして、第１設定部１２３は、抵抗値Ｒ２に対応した目標値Ｉｘを決定し、決定した目標値Ｉｘを記憶部１２８に出力する。記憶部１２８は、第１制御信号Ｓ１がローレベルであるので、第１設定部１２３から出力される目標値Ｉｘを記憶する。
【０１１３】
タイマが検出期間のカウントを完了すると、設定制御部１２１は、第１制御信号Ｓ１をハイレベルとする。第１制御信号Ｓ１がハイレベルになると、スイッチ素子１２０１がオフする。その結果、電源部１２００が第１出力端子１３Ａから切り離される。故に、電源部１２００の電圧は、第１信号端子１３Ｃ，２２Ｃ及び第２信号端子１３Ｄ，２２Ｄを介して第２インピーダンス素子２３に印加される。
【０１１４】
第１制御信号Ｓ１がハイレベルになると、アンドゲート１４から駆動信号ＳＤが出力されて電力変換部１０のスイッチング素子に印加される。そして、電力変換部１０が動作を開始し、光源装置２の電気的特性に適応した直流電圧・直流電流を光源装置２に出力する。また、記憶部１２８は、第１制御信号Ｓ１がローレベルのときに記憶した目標値Ｉｘを加算器１２７に出力する。
【０１１５】
また、通電によって光源部２０の温度が上昇すると、第２インピーダンス素子２３のインピーダンス値（抵抗値）も増加する。そして、前記インピーダンス値が増加して第２検出電圧Ｖ３がしきい値を超えると、第２設定部１２５から、第２検出電圧Ｖ３の増大に応じて増加する調整値ΔＩｘが加算器１２７に出力される。そして、加算器１２７から出力制御部１１に出力される目標値Ｉｘｙが調整値ΔＩｘの分だけ減少するので、電力変換部１０から光源部２０に供給される直流電流が減少し、光源部２０の温度上昇を抑制する。
【０１１６】
なお、第１インピーダンス素子２１のインピーダンス値（抵抗値）は、光源部２０のインピーダンス値（各ＬＥＤ２００のオン抵抗の合計値）よりも充分に大きい値であることが望ましい。第１インピーダンス素子２１のインピーダンス値が光源部２０のインピーダンス値よりも充分に大きい値であれば、光源部２０の点灯中に第１インピーダンス素子２１で消費される電力を抑え、且つ出力制御部１１による出力制御の誤差を低減することができる。
【０１１７】
（実施形態６）
以下、図６を参照して、本実施形態の点灯装置１及び光源装置２を説明する。ただし、本実施形態の光源装置２は実施形態５の光源装置２と同一である。また、本実施形態の点灯装置１は、実施形態５の点灯装置１と基本的な構成が共通している。故に、実施形態５の点灯装置１及び光源装置２と共通の構成要素には同一の符号を付して説明を省略する。
【０１１８】
本実施形態の点灯装置１において、電力変換部１０の低電位側の出力端と第２出力端子１３Ｂとの間に、スイッチング素子１６と抵抗１７の並列回路が電気的に直列接続されている。スイッチング素子１６は、ｎチャネル型のＭＯＳＦＥＴからなり、ドレインと第２出力端子１３Ｂが電気的に接続され、ソースと電力変換部１０の低電位側の出力端が電気的に接続される。また、スイッチング素子１６のゲートに、アンドゲート１８の出力端が電気的に接続される。つまり、スイッチング素子１６は、アンドゲート１８の出力がハイレベルのときにオンし、アンドゲート１８の出力がローレベルのときにオフする。
【０１１９】
アンドゲート１８は、出力制御部１１から出力されるＰＷＭ（パルス幅変調）信号ＳＰと、設定制御部１２１から出力される第１制御信号Ｓ１との論理積を演算する。故に、アンドゲート１８の出力は、ＰＷＭ信号ＳＰと第１制御信号Ｓ１が双方ともハイレベルのときにハイレベルとなり、ＰＷＭ信号ＳＰと第１制御信号Ｓ１の少なくとも何れか一方がローレベルのときにローレベルとなる。
【０１２０】
出力制御部１１は、例えば、電力変換部１０を構成するスイッチング素子の駆動信号ＳＤの駆動周波数より十分低い周波数で、かつ外部から指示される調光レベルに対応したオンデューティ比のＰＷＭ信号ＳＰを生成する。すなわち、出力制御部１１は、調光レベルが１００％（定格点灯）の場合、オンデューティ比を１００％とし、調光レベルが低下するにつれて、オンデューティ比を減少するように構成される。
【０１２１】
調光レベルが１００％の場合、出力制御部１１は、実施形態２〜５と同様に電力変換部１０の出力電流を目標値Ｉｘｙに一致させるように電力変換部１０を制御する。一方、調光レベルが１００％未満の場合、出力制御部１１は、調光レベルに対応したオンデューティ比のＰＷＭ信号ＳＰを出力するとともに、ＰＷＭ信号ＳＰがハイレベル（スイッチング素子１６がオン）のときに出力電流が目標値Ｉｘｙとなるように電力変換部１０を制御する。
【０１２２】
電力変換部１０の出力電流は、スイッチング素子１６がオンのときは殆ど減少せずにそのまま光源部２０に流れる。一方、スイッチング素子１６がオフのとき、電力変換部１０の出力電流は、スイッチング素子１６に並列接続されている抵抗１７で限流されて減少する。したがって、オンデューティ比が小さく（スイッチング素子１６のオフ期間が長く）なるほど、出力電流が抵抗１７で限流される期間が長くなるので、電力変換部１０から光源部２０に供給される単位時間当たりの電力量が減少して光源部２０が調光される。
【０１２３】
本実施形態における検出ブロック１２０は、電源部１２００と分圧抵抗１２０２で構成される。電源部１２００の正極が分圧抵抗１２０２を介して第１信号端子１３Ｃに電気的に接続される。電源部１２００と第２信号端子１３Ｄがグランドと電気的に接続される。つまり、光源装置２の第２インピーダンス素子２３と分圧抵抗１２０２が第１信号端子１３Ｃ、２２Ｃ及び第２信号端子１３Ｄ、２２Ｄを介して電気的に直列接続され、第２インピーダンス素子２３と分圧抵抗１２０２に電源部１２００の定電圧が印加される。
【０１２４】
次に、本実施形態の点灯装置１の動作を説明する。電源スイッチ５がオンされると、出力制御部１１及び制御部１２が動作を開始する。設定制御部１２１は、動作開始直後からタイマを起動し、検出期間をカウントさせる。そして、設定制御部１２１は、タイマが検出期間のカウントを完了するまで、第１制御信号Ｓ１をローレベルとする。また、第１制御信号Ｓ１がローレベルであるから、アンドゲート１８の出力もローレベルとなり、スイッチング素子１６がオフに維持される。
【０１２５】
出力制御部１１は、第１制御信号Ｓ１がローレベルのとき、光源部２０の最低動作電圧よりも充分に低い一定電圧を出力するように電力変換部１０を制御する。このとき、電力変換部１０の出力電流は光源部２０に流れず、第１インピーダンス素子２１のみに流れる。
【０１２６】
第１設定部１２３は、第１制御信号Ｓ１がローレベルのとき、第２出力端子１３Ｂと抵抗１７との接続点の電位（グランドとの電位差）を第１検出電圧Ｖ２として検出する。第１検出電圧Ｖ２は、電力変換部１０の出力電圧をＶｏ、抵抗１７の抵抗値をＲ５、第１インピーダンス素子２１のインピーダンス値をＲ２としたとき、Ｖ２＝Ｖｏ×Ｒ５／（Ｒ２＋Ｒ５）で表される。したがって、出力電圧Ｖｏ及び抵抗値Ｒ５が既知であるから、第１設定部１２３は、第１検出電圧Ｖ２から第１インピーダンス素子２１の抵抗値Ｒ２を、演算によって求める（推定する）ことができる。そして、第１設定部１２３は、抵抗値Ｒ２に対応した目標値Ｉｘを決定し、決定した目標値Ｉｘを記憶部１２８に出力する。記憶部１２８は、第１制御信号Ｓ１がローレベルであるので、第１設定部１２３から出力される目標値Ｉｘを記憶する。
【０１２７】
なお、第２設定部１２５は、常に第２検出電圧Ｖ３を検出し、第２検出電圧Ｖ３がしきい値を越えなければ何も出力せず、第２検出電圧Ｖ３がしきい値を超えれば、第２検出電圧Ｖ３の増大に応じて増加する調整値ΔＩｘを加算器１２７に出力する。
【０１２８】
タイマが検出期間のカウントを完了すると、設定制御部１２１は、第１制御信号Ｓ１をハイレベルとする。第１制御信号Ｓ１がハイレベルになると、アンドゲート１８は、出力制御部１１から出力されるＰＷＭ信号ＳＰをそのまま出力する。故に、スイッチング素子１６は、ＰＷＭ信号ＳＰがハイレベルの期間にオンし、ＰＷＭ信号ＳＰがローレベルの期間にオフする。
【０１２９】
出力制御部１１は、第１制御信号Ｓ１がハイレベルになると、電力変換部１０の出力電流を、加算器１２７から出力される目標値Ｉｘｙに一致させるように電力変換部１０を定電流制御する。ただし、調光レベルが１００％未満の場合、出力制御部１１は、ＰＷＭ信号ＳＰがハイレベル（スイッチング素子１６がオン）のときに出力電流を目標値Ｉｘｙとするように電力変換部１０を制御する。これにより、出力制御部１１は、調光レベルに対応したオンデューティ比のＰＷＭ信号ＳＰを出力することで電力変換部１０を制御して光源部２０を調光する。
【０１３０】
また、通電によって光源部２０の温度が上昇すると、第２インピーダンス素子２３のインピーダンス値（抵抗値）も増加する。そして、前記インピーダンス値が増加して第２検出電圧Ｖ３がしきい値を超えると、第２設定部１２５から、第２検出電圧Ｖ３に比例した調整値ΔＩｘが加算器１２７に出力される。そして、加算器１２７から出力制御部１１に出力される目標値Ｉｘｙが調整値ΔＩｘの分だけ減少するので、スイッチング素子１６がオン状態において、電力変換部１０から光源部２０に供給される直流電流が減少し、光源部２０の温度上昇を抑制する。
【０１３１】
なお、実施形態５と同様に、第１インピーダンス素子２１のインピーダンス値（抵抗値）及び抵抗１７の抵抗値は、光源部２０のインピーダンス値（各ＬＥＤ２００のオン抵抗の合計値）よりも充分に大きい値に設定されることが望ましい。このように設定されれば、光源部２０の点灯中に第１インピーダンス素子２１で消費される電力を抑え、且つ出力制御部１１による出力制御の誤差を低減することができる。
【０１３２】
上述のように本実施形態の点灯装置１において、制御部１２は、動作開始から点灯直前までの期間に光源部２０を点灯させない条件の定電圧又は定電流を電源部から第１インピーダンス素子２１と光源部２０の並列回路に印加させるように構成されることが好ましい。さらに、制御部１２は、第１インピーダンス素子２１のインピーダンス値を計測し、前記インピーダンス値の計測結果に対応した目標値Ｉｘｙを設定して光源部２０を点灯させるように構成されることが好ましい。
【０１３３】
また、本実施形態の点灯装置１において、電源部は電力変換部１０で兼用されることが好ましい。制御部１２は、光源部２０を点灯させない状態において、前記定電圧又は定電流を目標値Ｉｘｙに設定して電力変換部１０を制御するように構成されることが好ましい。
【０１３４】
ところで、実施形態２〜６では光源装置２が第２インピーダンス素子２３を備えているが、点灯装置１が第２インピーダンス素子２３を備えても構わない。例えば、第２インピーダンス素子２３が感温抵抗素子である場合、点灯装置１の温度と光源部２０の温度との相関が高ければ、点灯装置１の温度に応じて電力変換部１０の出力を調整しても構わない。なお、第２インピーダンス素子２３を含まず、第１インピーダンスによる出力電流の目標値設定部のみの構成であってもよい。
【０１３５】
また、実施形態１〜６における制御部１２は、アナログ回路で構成されても良いし、ディジタル回路で構成されても良い。例えば、制御部１２がマイクロコントローラなどのハードウェアとソフトウェアの組み合わせで実現されても構わない。なお、実施形態１〜４においては、第１設定部１２３と第２設定部１２５は、それぞれ同じ位置で第１検出電圧Ｖ２と第２検出電圧Ｖ３を検出している。したがって、第１設定部１２３及び第２設定部１２５がマイクロコントローラとソフトウェアの組み合わせで実現される場合、第１検出電圧Ｖ２及び第２検出電圧Ｖ３を共通の入力ポートから取り込むことができる。
【０１３６】
（実施形態７）
本発明に係る車両用前照灯装置の実施形態を図７に示す。本実施形態の車両用前照灯装置（以下、前照灯装置と略す。）は、点灯装置１と、点灯装置１を保持して車両８に取り付けられる灯具７とを備える。灯具７は、図８に示すように、普通乗用車（自動車）などの車両８の前端部における左右両側に取り付けられる。
【０１３７】
灯具７は、灯具本体７０、カバー７１、放熱体７２、反射板７３などを備える。灯具本体７０は、合成樹脂により、前面が開口された有底筒状に形成される。カバー７１は、石英ガラスやアクリル樹脂などの透光性を有する材料により、後面が開口された有底筒状に形成される。そして、灯具本体７０の前端にカバー７１の後端が結合され、カバー７１で塞がれる灯具本体７０内に、光源装置２、放熱体７２、反射板７３が収納される。
【０１３８】
放熱体７２は、例えば、アミルダイカストなどにより、平板の一面に多数の放熱フィンが設けられることが好ましい。放熱体７２の上面に光源装置２と反射板７３が取り付けられる。反射板７３は、半球状に形成されており、その内周面で光源装置２から放射される光を前方に反射するように構成されている。
【０１３９】
点灯装置１は、実施形態１〜６の何れの点灯装置１であっても構わない。この点灯装置１は、ケース１００に収納されて灯具本体７０の下面あるいは内部に取り付けられる。また、点灯装置１が灯具本体７０の内部に取り付ける場合はケース１００に収納されなくてもよい。なお、点灯装置１と光源装置２とは、電源ケーブル１０１を介して電気的に接続されることが好ましい。
【０１４０】
また、点灯装置１は、電源スイッチ５を介して、車両８に搭載されているバッテリ（外部電源４）の正極及び負極と電気的に接続される。なお、電源スイッチ５は、車両８のダッシュボードや、ステアリングコラムに設けられたコンビネーションスイッチに設けられることが好ましい。
【符号の説明】
【０１４１】
１  点灯装置
２  光源装置
１０  電力変換部
１１  出力制御部（制御部）
１２  制御部（制御部）
１３Ａ  第１出力端子（出力端子）
１３Ｂ  第２出力端子（出力端子）
２０  光源部
２１  第１インピーダンス素子
２２Ａ  第１給電端子（給電端子）
２２Ｂ  第２給電端子（給電端子）
２００  発光ダイオード（固体発光素子）
１２００  電源部
【図１】
0006440061.tif 000002
【図２】
0006440061.tif 000003
【図３】
0006440061.tif 000004
【図４】
0006440061.tif 000005
【図５】
0006440061.tif 000006
【図６】
0006440061.tif 000007
【図７】
0006440061.tif 000008
【図８】
0006440061.tif 000009